(57)【要約】【課題】同時記録中でも、ユーザの想定する残量により近い残量を表示可能な記録装置を提供すること。【解決手段】ＤＲストリームを、ＡＶＣストリームに変換する信号処理部と、ＡＶＣストリームを記録する指示を受け付けた場合に、ＡＶＣストリームを記録する一方、同時にＤＲストリームを記録し、ＡＶＣストリームの記録が完了した場合に、ＡＶＣストリームと同時に記録したＤＲストリームを削除するＨＤＤと、ＨＤＤの記録領域のうち、データが記録されていない領域である未記録領域の大きさを算出するＣＰＵと、その算出した未記録領域の大きさをユーザに報知するＯＳＤ重畳部と、を備え、ＣＰＵは、ＨＤＤがＤＲストリームとＡＶＣストリームとを同時に記録している場合には、ＨＤＤの記録領域のうち、データが記録されていない領域とＤＲストリームが記録されている領域を未記録領域とみなして、その未記録領域の大きさを算出する。【選択図】図５
2011124825.tif 000002
【特許請求の範囲】
【請求項１】
第１の情報ストリームを、第２の情報ストリームに変換する信号処理部と、
前記第２の情報ストリームを記録する指示を受け付けた場合に、前記第２の情報ストリームを記録する一方、同時に前記第１の情報ストリームを記録し、
前記第２の情報ストリームの記録が完了した場合に、前記第２の情報ストリームと同時に記録した前記第１の情報ストリームを削除する記録部と、
前記記録部の記録領域のうち、データが記録されていない領域である未記録領域の大きさを算出する制御部と、
その算出した未記録領域の大きさをユーザに報知する報知部と、
を備え、
前記制御部は、
前記記録部が前記第１の情報ストリームと前記第２の情報ストリームとを同時に記録している場合には、
前記記録部の記録領域のうち、データが記録されていない領域と前記第１の情報ストリームが記録されている領域を未記録領域とみなして、その未記録領域の大きさを算出する、記録装置。
【請求項２】
前記第２の情報ストリームの情報量は、前記第１の情報ストリームの情報量より小さいことを特徴とする、請求項１に記載の記録装置。
【請求項３】
前記制御部は、前記記録部の未記録領域の大きさとして、その未記録領域に記録可能な録画時間を算出し、
前記報知部は、その記録可能な録画時間を報知する、請求項１に記載の記録装置。
【発明の詳細な説明】
【技術分野】
【０００１】
本発明は、例えばハードディスクを内蔵して放送番組などのデータストリームの記録をする装置に関する。
【背景技術】
【０００２】
デジタルテレビ放送では、映像信号をＭＰＥＧ符号化方法で圧縮符号化した圧縮データストリームを伝送することで、限られた伝送容量に大量および高品質な映像データを放送することが可能となっている（非特許文献１参照）。
【０００３】
デジタルテレビ放送データを記録媒体に記録するには、放送された放送ストリームをそのまま記録するストリーム記録と、放送ストリームを圧縮符号化して記録するエンコード記録とがある。ストリーム記録は放送品質と同じ高画質、高音質で記録することが可能であるが、データのビットレートが、ＢＳ放送では約２４Ｍｂｐｓ、地上波デジタル放送では約１７Ｍｂｐｓと高いために大きな記録容量が必要になる。一方、エンコード記録は放送ストリームを一旦デコードし、デコードしたデータをＭＰＥＧ符号化などを用いて再圧縮する。再圧縮することによる符号化ノイズは発生するが、ビットレートを８Ｍｂｐｓ程度に圧縮することでＢＳ放送の場合は１／３、地上波デジタル放送の場合は１／２の記録容量で済むことになる。つまり、エンコード記録を行うことで長時間記録が可能になる。
【０００４】
また、放送記録中に、ＨＤＤやＤＶＤなどの媒体に記録済みのストリームを再生することが行われている。特に、特許文献１では、少ないデコーダ資源で記録と再生を同時に行う方法について示されている。
【０００５】
特許文献１の方法では、ユーザがエンコード記録を所望する記録対象の番組について、ストリーム記録とエンコード記録を同時に行い、記録完了までの間に、他の記録データの再生などのためにデコーダが必要にならなかった場合はエンコード記録データを残してストリーム記録データを削除し、デコーダが必要になった場合はその時点でエンコード記録データを削除することで、デコーダが少ない構成でも記録と再生を両立させることが提案されている。
【先行技術文献】
【特許文献】
【０００６】
【特許文献１】特開２００９−１４６５５０号公報
【非特許文献】
【０００７】
【非特許文献１】ＩＳＯ／ＩＥＣ  １３８１８−２（ＭＰＥＧ２ビデオ）
【発明の概要】
【発明が解決しようとする課題】
【０００８】
しかしながら、ストリーム記録とエンコード記録の両方の同時記録中は、ユーザが所望するエンコード記録だけを行う場合と比較して、ＯＳＤに表示されるＨＤＤの残量表示の減り方が速い。一方、番組の同時記録中に、ユーザがデコーダを必要とする再生機能を動作させなかった場合は、番組記録が終了した段階でＣＰＵの指示によりストリーム記録が削除され、それ以降はユーザの想定する残量がＯＳＤに表示されていた。このように、同時記録中のみユーザの想定と異なる残量表示を行うことで、ユーザを混乱させてしまう場合があった。
【０００９】
そこで、本発明の目的は、上記の問題を解決すべく、同時記録中でもユーザの想定する残量を表示可能な装置を提供することである。
【課題を解決するための手段】
【００１０】
上記目的を達成するために、本発明の記録装置は、ＤＲ形式のストリームを、ＡＶＣ形式のストリームに変換する信号処理部と、ＡＶＣ形式のストリームを記録する指示を受け付けた場合に、ＡＶＣ形式のストリームを記録する一方、同時にＤＲ形式のストリームを記録し、ＡＶＣ形式のストリームの記録が完了した場合に、ＡＶＣ形式のストリームと同時に記録したＤＲ形式のストリームを削除するＨＤＤと、ＨＤＤの記録領域のうち、データが記録されていない領域である未記録領域の大きさを算出するＣＰＵと、その算出した未記録領域の大きさをユーザに報知するＯＳＤ重畳部と、を備え、ＣＰＵは、ＨＤＤがＤＲ形式のストリームとＡＶＣ形式のストリームとを同時に記録している場合には、ＨＤＤの記録領域のうち、データが記録されていない領域とＤＲ形式のストリームが記録されている領域を未記録領域とみなして、その未記録領域の大きさを算出する。
【００１１】
これにより、同時記録中でも、ユーザの想定する残量により近い残量を表示可能である。
【発明の効果】
【００１２】
上記の構成によれば、同時記録中でもユーザの想定する残量により近い残量を表示可能な記録再生装置を提供できる。
【図面の簡単な説明】
【００１３】
【図１】実施の形態１にかかる記録再生装置の構成図
【図２】実施の形態１にかかる信号処理部の構成図
【図３】実施の形態１にかかる同時記録処理のフローチャート
【図４】実施の形態１にかかる残量表示処理のフローチャート
【図５】実施の形態１にかかるＨＤＤの使用領域と残量計算領域の関係図
【図６】実施の形態１にかかる残量表示画面図
【発明を実施するための形態】
【００１４】
（実施の形態１）
まず、放送番組を記録する方法について説明する。図１に記録装置１００の構成図を示す。チューナ１０２は記録装置１００に接続されたアンテナ１０１より放送ストリームを受信する。ここで、アンテナ１０１が受信する放送ストリームはＭＰＥＧ２−ＴＳである。また、チューナ１０２は、受信した放送ストリームを信号処理部１０３に入力する。信号処理部１０３は、チューナ１０２から入力されたストリームを処理したストリームデータをＨＤＤ１０６に入力する。メモリ１０４は、ＣＰＵ１０５で生成した画像を記憶する。リモコン受信部１０７は、リモコンから送信されたリモコン信号を受信する。ＣＰＵ１０５は、リモコン受信部１０７で受信したリモコン信号に応じて、チューナ１０２、信号処理部１０３、メモリ１０４及びＨＤＤ１０６を制御する。また、ＣＰＵ１０５は、出力する画像を作成した場合には、その画像をメモリ１０４へ出力する。
【００１５】
図２は信号処理部１０３、メモリ１０４およびＣＰＵ１０５周辺の詳細な構成図である。エンコード記録を行う場合、信号処理部１０３に入力されたストリーム信号は、デコーダ２０１に入力される。デコーダ２０１は入力されたストリーム信号をデコードし、映像信号と音声信号を出力する。エンコーダ２０２はデコーダ２０１から出力された映像信号と音声信号が入力される。エンコーダ２０２は、入力された映像信号と音声信号をＡＶＣ形式のストリームデータにエンコードし、ＨＤＤ１０６に入力する。ここで、ＡＶＣ形式とは、ＩＳＯ／ＩＥＣ  １４４９６−１０で定義されるＭＰＥＧ４−ＡＶＣである。
【００１６】
ストリーム記録を行う場合、信号処理部１０３はデコーダ２０１およびエンコーダ２０２を経由せずにＨＤＤ１０６に入力する。記録装置１００に入力される信号のうち、エンコーダ２０２を経由せずにＨＤＤ１０６に入力されるストリームを、これ以降、ＤＲ形式のストリームと表記する。ＨＤＤ１０６は、信号処理部１０３から入力されたＡＶＣ形式またはＤＲ形式のストリームを記録する。ＣＰＵ１０５は、チューナ１０２、信号処理部１０３、メモリ１０４、ＨＤＤ１０６、リモコン受信部１０７を制御する。
【００１７】
以上の構成により、アンテナ１０１で受信した放送ストリームは、チューナ１０２と信号処理部１０３を経由してＤＲ形式またはＡＶＣ形式の信号としてＨＤＤ１０６に記録される。また、信号処理部１０３は、チューナ１０２からの入力信号を２分配して片側をエンコードすることで、ＤＲ形式とＡＶＣ形式の両方を同時に出力することも可能である。
【００１８】
続いて、ＨＤＤ１０６に記録されたストリームデータの再生方法について説明する。ＨＤＤ１０６から出力された信号は、デコーダ２０１により映像信号及び音声信号に変換され、ＯＳＤ重畳部２０３に入力される。ＯＳＤ重畳部２０３は、デコーダ２０１から出力された映像信号と、メモリ１０４から受け取ったＯＳＤデータを重畳し信号処理部１０３の外部へ出力する。また、デコーダ２０１から出力された音声データはＯＳＤ重畳部２０３を経由せずに信号処理部１０３の外部へ出力される。デコーダ２０１、エンコーダ２０２、ＯＳＤ重畳部２０３は、ＣＰＵ１０５によって制御される。
【００１９】
以上の構成により、ＨＤＤ１０６に記録されたストリームが再生される。
【００２０】
ユーザ操作について説明する。リモコン受信部１０７はユーザによるリモコン操作を受け付けて、ＣＰＵ１０５に情報を入力する。ＣＰＵ１０５は操作情報を元にＯＳＤ画像を生成し、メモリ１０４に記憶する。
【００２１】
次に、図３を用いて、ユーザがＡＶＣ形式での記録を所望する番組について、記録装置１００がＡＶＣ形式とＤＲ形式の両方で同時に記録する処理を説明する。Ｓ３０１で、ＣＰＵ１０５はＡＶＣ形式で録画をする予約番組の開始時刻が到来するのを待つ。Ｓ３０２で、ＣＰＵ１０５は現在のＨＤＤの未使用領域の大きさで、録画対象の番組のＡＶＣ形式とＤＲ形式の両方を同時に行っても未使用領域が足りるかどうかを判定する。ＣＰＵ１０５は、未使用領域が足りるのであれば記録可能と判定し、未使用領域が足りないのであれば記録不可能と判定する。記録可能であれば、Ｓ３０３に進み、そうでなければＳ３１２に進む。Ｓ３０３では、ＣＰＵ１０５はＡＶＣ形式とＤＲ形式の同時録画を開始する。Ｓ３０４では、ＣＰＵ１０５は録画が完了したかどうかを判定する。ＣＰＵ１０５は録画が完了していれば、Ｓ３１１に進む。ＣＰＵ１０５は録画が完了していなければＳ３０５に進む。Ｓ３０５では、ＣＰＵ１０５はユーザによりＨＤＤ１０６に記録されているストリームの再生指示を受けたかどうかを判定する。ＣＰＵ１０５が再生指示を受けていなければ、Ｓ３０４に戻る。ＣＰＵ１０５が再生指示を受けた場合には、Ｓ３０６に進む。Ｓ３０６では、ＣＰＵ１０５はＡＶＣ形式での録画を停止する。なお、Ｓ３０６では、ＤＲ形式での録画は停止されずに継続される。Ｓ３０７では、Ｓ３０６で録画停止したＡＶＣ形式のストリームデータをＣＰＵ１０５が削除する。Ｓ３０８ではＣＰＵ１０５は録画が完了したかどうかを判定し、完了していなければＳ３０８に戻る。録画が完了していればＳ３０９に進む。Ｓ３０９では、ＣＰＵ１０５はデコーダが使用中かどうかを判定し、使用中であればＳ３０９に進む。使用中でなければ、Ｓ３１０に進む。Ｓ３１０では、ＣＰＵ１０５は、ＨＤＤ１０６にＤＲ形式で記録された番組を、デコーダ２０１とエンコーダ２０２を順に経由させることでＡＶＣ形式に変換して、ＨＤＤ１０６に記録する。Ｓ３１１では、ＣＰＵ１０５はＨＤＤ１０６に記録されているＤＲ形式のストリームデータを削除する。Ｓ３１２では、ＣＰＵ１０５はＡＶＣ形式のみでの録画を開始する。なお、この場合は録画を継続したまま再生のためにデコーダを使わなくすることができないため、再生ができない。Ｓ３１３では、ＣＰＵ１０５は録画が完了したかどうかを判定する。完了していれば、ＥＮＤに進む。完了していなければＳ３１３に進む。
【００２２】
このように、ＡＶＣ形式のストリームデータを記録する場合であっても、ＡＶＣ形式のストリームデータだけではなく、ＤＲ形式のストリームデータも同時に記録する。そして、ＡＶＣ形式のストリームデータの記録が完了した場合に、同時に記録したＤＲ形式のストリームデータを削除する。ＡＶＣ形式のストリームデータを記録しているときに他のストリームデータを同時に再生できない場合には、再生指示を受け付けると、ＡＶＣ形式のストリームデータの記録を停止する。このとき、ＤＲ形式のストリームデータの記録は継続する。一方、録画が終了後、適切なタイミングでＤＲ形式のストリームデータをＡＶＣ形式のストリームデータに変換する。そして、ＤＲ形式のストリームデータは消去する。以上の動作はユーザがＡＶＣ形式による記録を指示した場合に、ユーザが意識することなく、記録装置１００が自動的に実行する。このようにすることにより、ＡＶＣ形式のストリームデータを記録中の場合であっても、他のコンテンツの再生が可能となる。
【００２３】
次に、図４を用いて、ＨＤＤ１０６の残量表示のアルゴリズムを説明する。Ｓ４０１で、ＣＰＵ１０５はユーザによりＨＤＤ１０６の残量表示の指示を受け付けたかどうかを判定する。判定の指示を受け付けていなければ、Ｓ４０１に進む。判定の指示を受け付けていれば、Ｓ４０２に進む。Ｓ４０２では、ＣＰＵ１０５は、現在同じ番組に対してＡＶＣ形式とＤＲ形式の両方で録画している状態かどうかを判定する。ＡＶＣ形式とＤＲ形式の両方で録画している状態であればＳ４０３に進む。ＡＶＣ形式とＤＲ形式の両方で録画している状態でなければＳ４０４に進む。Ｓ４０３では、ＣＰＵ１０５は残量表示に使う大きさを、ＨＤＤ１０６の未使用領域の大きさと、ＤＲ形式で録画中の番組のストリームデータの大きさとの和として算出する（図５を参照）。ここで、ＨＤＤ１０６の未使用領域の大きさと、ＨＤＤ１０６に記録中であるＤＲ形式のストリームデータの大きさは、ＨＤＤ１０６に記録されている。ＨＤＤ１０６の未使用領域の大きさとＨＤＤ１０６に記録中であるＤＲ形式のストリームデータの大きさは、ＨＤＤ１０６に記録されているデータを読み出すことで算出できる。
【００２４】
図５はＳ４０３におけるＨＤＤ１０６の使用状態と残量計算の大きさの関係を示した図である。図５の横方向は、ＨＤＤ１０６の記録領域を示す。「記録済領域５１」は、録画が既に完了している番組のストリームデータが記録されている領域である。「ＡＶＣ録画中番組の記録済み領域５２」は、ＡＶＣ形式で記録中のストリームデータのうち、記録済みの領域を示す。「ＤＲ録画中番組の記録済み領域５３」は、ＤＲ形式で記録中のストリームデータのうち、記録済みの領域を示す。なお、図５のＡＶＣ録画中番組の記録済み領域５２に記録している番組とＤＲ録画中番組の記録済み領域５３に記録している番組は、同一番組である。「未使用領域５４」は、ストリームデータが記録されていない領域である。ＨＤＤ１０６にＡＶＣ形式のストリームデータとＤＲ形式のストリームデータとの両方が記録されている場合には、ＡＶＣ録画中番組の記録済み領域５２とＤＲ録画中番組の記録済み領域５３とが拡大する一方、未使用領域５４が減少する。
【００２５】
ＨＤＤ１０６において、実際に記録に使用されている領域は、記録済領域５１、ＡＶＣ録画中番組の記録済み領域５２とＤＲ録画中番組の記録済み領域５３である。一方、記録がされていない領域は、未使用領域５４である。しかし、ＤＲ形式のストリームデータの記録は、上述のとおり、自動的に実行されているので、ユーザはＤＲ録画中番組の記録済み領域５３の領域があることを知ることができない。そのため、未使用の領域として、未使用領域５４のみを未使用領域としてユーザに提示すると、ユーザが未使用領域と考えている領域と提示された未使用領域との間で差が発生する。そのため、未使用領域として見せる領域は、ＤＲ録画中番組の記録済み領域５３と未使用領域５４との和とすることが好ましい。そこで、本実施の形態の記録装置１００では、ユーザに未使用領域として見せる領域はＤＲ録画中番組の記録済み領域５３と未使用領域５４とする。
【００２６】
Ｓ４０４では、ＤＲ形式による同時の記録をしていない。つまり、ＤＲ録画中番組の記録済み領域５３が存在しない。そこで、ＣＰＵ１０５は残量表示に使う大きさを、未使用領域５４とする。
【００２７】
Ｓ４０５では、ＣＰＵ１０５は残量表示に使う大きさの値を、表示対象のビットレートに対応した残り時間に変換する。例えばＤＲ記録の場合は２４Ｍｂｐｓであるため、それに応じた残り時間を計算する。Ｓ４０６では、リモコン受信部１０７がＯＳＤ画像を表示させる旨の指示を受け付けると、ＣＰＵ１０５はＯＳＤとして画面に表示するための画像を生成する。ＣＰＵ１０５は生成した画像をメモリ１０４に記録する。ＯＳＤ重畳部２０３は、メモリ１０４に記録されている画像を読み出す。ＯＳＤ重畳部２０３は読み出したＯＳＤ画像を映像信号に重畳して、出力する。
【００２８】
図６は、ＯＳＤ重畳部２０３から出力された映像の一例である。図６において、ＯＳＤ重畳部２０３から出力される映像に重畳されたＯＳＤ画像には、残り記録時間が８０時間３０分である旨が記載されている。ユーザはこのＯＳＤ画像を確認することにより、ＨＤＤ１０６の未使用領域を把握することができる。
【００２９】
つまり、本実施の形態の記録装置１００は、ＤＲ形式のストリームを、ＡＶＣ形式のストリームに変換する信号処理部１０３と、ＡＶＣ形式のストリームを記録する指示を受け付けた場合に、ＡＶＣ形式のストリームを記録する一方、同時にＤＲ形式のストリームを記録し、ＡＶＣ形式のストリームの記録が完了した場合に、ＡＶＣ形式のストリームと同時に記録したＤＲ形式のストリームを削除するＨＤＤ１０６と、ＨＤＤ１０６の記録領域のうち、データが記録されていない領域である未記録領域の大きさを算出するＣＰＵ１０５と、その算出した未記録領域の大きさをユーザに報知するＯＳＤ重畳部２０３と、を備え、ＣＰＵ１０５は、ＨＤＤ１０６がＤＲ形式のストリームとＡＶＣ形式のストリームとを同時に記録している場合には、ＨＤＤ１０６の記録領域のうち、データが記録されていない領域とＤＲ形式のストリームが記録されている領域を未記録領域とみなして、その未記録領域の大きさを算出する。
【００３０】
これにより、ＡＶＣ形式のストリームを記録する時に、同時にＤＲ形式のストリームも記録する場合においても、ユーザが未使用領域と考えている領域と提示された未使用領域との間での差がより小さくなる記録装置を提供できる。
【００３１】
また、本実施の形態の記録装置１００では、ＡＶＣ形式のストリームの情報量は、ＤＲ形式のストリームの情報量より小さい。
【００３２】
また、本実施の形態の記録装置１００は、ＣＰＵ１０５は、ＨＤＤ１０６の未記録領域の大きさとして、その未記録領域に記録可能な記録時間を算出し、ＯＳＤ重畳部２０３は、その記録可能な録画時間を報知する。
【００３３】
これにより、ユーザはＣＰＵ１０５に記録できる記録時間を知ることができる。したがって、ＣＰＵ１０５に記録可能な情報量を容量（例えば、『５ＧＢ』など）で表示する場合と比較して、より正確に記録可能時間を知ることができる。
（他の実施の形態）
本発明の実施の形態として、実施の形態１を例示した。しかし、本発明はこれには限らない。そこで、本発明の他の実施の形態を以下まとめて説明する。なお、本発明は、これらには限定されず、適宜修正された実施の形態に対しても適用可能である。
【００３４】
実施の形態１において、エンコーダ２０２はＡＶＣ形式のＭＰＥＧ２−ＴＳ信号を出力するように構成したが、例えばＭＰＥＧ２−ＰＳ信号を出力し、ＨＤＤ１０６に記録する構成としてもよい。
【００３５】
また、チューナ１０２から信号処理部１０３に入力するストリームよりも、エンコードされて信号処理部１０３から出力される信号のほうがビットレートが小さくなるように構成し、ストリーム直接記録よりも多くの番組を記録することが可能である。
【００３６】
また、再生するストリームはＨＤＤに記録されている必要はなく、例えばＢＤドライブなどの外部媒体読み込み装置を記録装置１００に組み込んで、ＢＤ−ＲＯＭなどの外部メディアからストリームを読み込んだストリームデータをデコーダ２０１に入力して再生する構成としてもよい。
【００３７】
また、本実施の形態では、放送によりストリームデータを取得したがインターネットによるダウンロードなど、他の手段を用いて、ストリームデータを取得してもよい。
【産業上の利用可能性】
【００３８】
本発明にかかる記録再生装置及び記録再生方法は、同一番組のＡＶＣ形式およびＤＲ形式の両方での同時記録の際、ＨＤＤの残量がユーザの想定以上に早く減少してユーザが混乱することを防ぐことが可能になるので、デコーダが少なくなるように構成し、記録及び再生を同時実行可能である記録再生装置及び記録再生方法等として有用である。
【符号の説明】
【００３９】
１００    記録装置
１０１    アンテナ
１０２    チューナ
１０３    信号処理部
１０４    メモリ
１０５    ＣＰＵ
１０６    ＨＤＤ
１０７    リモコン受信部
２０１    デコーダ
２０２    エンコーダ
２０３    ＯＳＤ重畳部
【図１】
2011124825.tif 000003
【図２】
2011124825.tif 000004
【図３】
2011124825.tif 000005
【図４】
2011124825.tif 000006
【図５】
2011124825.tif 000007
【図６】
2011124825.tif 000008